(57)【要約】      （修正有）【課題】掌に収まる大きさのパドルを形成し、パドルを外して泳ぐ時に生ずるギャップを少なくすることのできるサイズのパドルとし、さらに、パドルを装着した際に、力強く水を掻くことの出来る水泳練習用パドルを提供する。【解決手段】適宜な厚み寸法を有する合成樹脂板を素材とし、適宜な全横幅寸法Ｗと、適宜な全縦幅寸法Ｌとを有する左右一対の対称な形状のパドルであって、左手用・右手用の両パドルのそれぞれ中央部付近には、手の中指ｃを紐４で固定するための一対の紐固定用の通穴３ａ，３ａ′を設ける。更に、パドル本体１の裏面の略中央部に、水を掻くための適宜な幅と厚みを有する水掻き片２ｂを設ける。【選択図】図７
0003188716.tif 000002
【実用新案登録請求の範囲】
【請求項１】
適宜な厚み寸法を有する合成樹脂板を素材とし、適宜な全横幅寸法と、適宜な全縦幅寸法とを有する中央線より線対象の形状のパドル、あるいは、非線対象の図形のパドルであって、反転させると左・右の手に装着する形状のパドルであって、左手用・右手用の両パドルのそれぞれ中央部付近には、手の中指を紐で固定するための一対の紐固定用の通穴を設けた水泳練習用パドルにおいて、
パドル本体（１）の裏面の略中央部には、水を掻くための適宜な幅と厚みを有する水掻き片（２）を設けた
ことを特徴とする水泳練習用パドル。
【請求項２】
水掻き片（２）の各断面形状が、横辺（Ｘ）と縦辺（Ｙ）を有する直角三角形であり、パドル本体（１）の上端辺方向に進むに従って下降する傾斜状に設けたことを特徴とする請求項１記載の水泳練習用パドル。
【請求項３】
水掻き片（２）の全体の形状が、円弧状、カギ状、「へ」字状、あるいは、逆「Ｖ」字状から選ばれたものであることを特徴とする請求項１または２記載の水泳練習用パドル。  
【請求項４】
水掻き片（２）の各断面形状における横辺（Ａ）と縦辺（Ｂ）との比率が、３：２、４：３、５：４、あるいは６：５であることを特徴とする請求項１または２または３記載の水泳練習用パドル。
【請求項５】
パドル本体（１）に形成した一対の紐固定用の通穴（３ａ）（３ａ′）の位置が、左右同一形状か、左右対称形状であるパドル本体の形状の相違により、それぞれ水平方向の中心線より、それぞれズレた位置に設けたことを特徴とする請求項１記載の水泳練習用パドル。
【考案の詳細な説明】
【技術分野】
【０００１】
この考案は、水泳練習用パドルに関するものであり、左・右、両手のそれぞれ掌に位置し、手の中指を紐にて装着・固定して使用する水泳練習用パドルに関するものである。
【背景技術】
【０００２】
従来、水泳練習用パドルは、水泳練習の際、手に装着する器具として市販されているが、この従来の該パドルを装着して泳ぐと、該パドルを外して泳いだ時に比べて水の抵抗が軽く感じてしまい、そのギャップは極めて大きいものであった。
【０００３】
この原因は、パドルのサイズやパドルの面積によるものであり、より正確に、美しく、しかも効率よく泳ぐためには、主に、手のどこに力を入れて泳ぐかは、従来のパドルからは明確な結果を求めることができなかった。
【０００４】
さらに、この従来のパドルを装着して泳ぐ際、主に、手のどこに力を入れて使用すればよいのか、明確でなく、また、従来のパドルは外した際、水の抵抗が軽く感じすぎてしまうというものであった。
【０００５】
また、その他に身体に装着する水泳練習用器具を用いてトレーニングするものは存在した。例えば、特許文献１，特許文献２そして、特許文献３のように。
【先行技術文献】
【特許文献】
【０００６】
【特許文献１】特開２００５−２２４３３１号公報
【特許文献２】特開２００６−０００２３７号公報
【特許文献３】特開２０１１−０１１０１０号公報
【０００７】
しかし、特許文献１は、「水泳用補助具」に関するものであるが、足に装着する器具であり、手に装着する器具ではなかった。
【０００８】
また、特許文献２は、「掌をリラックスする水泳練習用パドル」に関するものであるが、パドル本体は、掌より大きいため、装着して練習に使用しても、水圧が強く、肩を傷めてしまうという欠点があった。
【０００９】
さらに、特許文献３は、「水泳用手首固定パドル」に関するものであるが、主に手首を固定することを目的とする発明であり、板状のパドルは存在しないものであった。
【考案の概要】
【考案が解決しようとする課題】
【００１０】
そこで、この考案の課題は、従来のサイズや、広い面積を有するパドルでは、パドルを外した時、手にかかる水の抵抗の軽さの要因となるものであり、これに鑑み、掌に収まる大きさのパドルを形成し、該パドルを外して泳ぐ時に生ずるギャップを少なくすることのできるサイズのパドルとし、さらに、パドルを装着した際に、力強く水を掻くことの出来る水泳練習用パドルを開発・提供することにある。
【課題を解決するための手段】
【００１１】
そして、この考案は、両方の掌のうち、それぞれ、親指を除く、他の４本の指部の幅寸法程度に納まる横幅寸法であり、両方の掌の指のつけ根付近から、中指の長さまでの縦寸法内に収まるパドルであって、これにより水を掻き易くし、該パドル本体は手の中指を該パドル本体に固定するための紐を固定する一対の紐通し用穴を形成した水泳練習用パドルである。
【考案の効果】
【００１２】
この考案によると、従来のパドルより、パドル本体（１）の大きさや形状を小さく形成することにより、面積が小さくなり、素手で泳ぐ時よりは水の抵抗は増すが、あまり筋力のない初心者から選手までの幅広い泳者達にも、身体への負担を抑え、無理なくトレーニングに使用できる等の極めて優れた効果を奏する。
【００１３】
さらに、この考案によると、左・右の手に装着する一対のパドル本体（１）を、同一形状、あるいは、対称形状とし、これらパドル本体（１）にそれぞれ水を掻くための水掻き片（２）を設けたことによって、比較的楽に確実に水を掻くことができるため、スピードを増すことのできる等のすぐれた効果を奏する。
【図面の簡単な説明】
【００１４】
【図１】この考案のパドル本体の一実施例を示し、（Ａ）は左手用パドルの平面図であり、（Ｂ）は、左手用パドルの正面図である。
【図２】この考案のパドル本体の一実施例を示し、（Ａ）は左手用パドルの底面図であり、（Ｂ）は、左手用パドルの背面図である。
【図３】この考案のパドル本体の一実施例を示し、（Ａ）は図１中ａ−ａ断面図であり、（Ｂ）は、（Ａ）図中の囲まれた部分ｂの拡大断面図である。
【図４】この考案のパドル本体の他の実施例を示す平面図である。
【図５】この考案のパドル本体の他の実施例を示す背面図である。
【図６】この考案のパドル本体に装着された水掻き片の各実施例を示し、（Ａ）は円弧状、（Ｂ）はカギ状、（Ｃ）は、「へ」字状、（Ｄ）は、逆Ｖ字状である。
【図７】この考案の使用状態の一実施例を示し、（Ａ）は左手用パドル本体の平面図であり、（Ｂ）は、紐を装着した状態の正面図である。
【考案を実施するための形態】
【００１５】
以下、この考案の好適な実施の形態について詳細に説明すると、この発明においては、以下の記述に限定されるものではなく、この考案の要旨を逸脱しない範囲においては適宜変更可能である。
【実施例】
【００１６】
この考案の一実施例を図面に基づいて詳述すると、適宜な厚み寸法（Ｔ）を有する合成樹脂板を素材とし、適宜な全横幅寸法（Ｗ）と、適宜な全縦幅寸法（Ｌ）とを有する左右一対の対称な形状のパドルであって、左手用・右手用の両パドルのそれぞれ中央部付近には、手の中指（ｃ）を紐（３）で固定するための一対の紐固定用の通穴を設けた水泳練習用パドルにおいて、パドル本体（１）の裏面の略中央部に、水を掻くための適宜な幅と厚みを有する水掻き片（２）を設けたことを特徴とする水泳練習用パドルから構成されるものである。
【００１７】
尚、パドル本体（１）の適宜な厚み寸法（Ｔ）の一例としては、２ｍｍ程度が最適である。
【００１８】
そして、パドル本体（１）の標準サイズは、全横幅寸法（Ｌ）が９０ｍｍであり、全縦幅寸法（Ｌ）が６０ｍｍである。
【００１９】
また、パドル本体（１）の大型サイズとしては、全横幅寸法（Ｌ）が、１０８ｍｍであり、全縦幅寸法（Ｌ）が７２ｍｍである。
【００２０】
さらに、パドル本体（１）の小型サイズとしては、全横幅寸法（Ｌ）が、８１ｍｍであり、全縦幅寸法（Ｌ）が５４ｍｍである。
【００２１】
そもそも、パドル本体（１）の全横幅寸法（Ｗ）並びに全縦幅寸法（Ｌ）は経済産業省のデータでは、日本人の男・女、２０歳から７９歳までの手の全横幅寸法（Ｗ）は、７２ｍｍ〜８３ｍｍとなっており、手の全縦幅寸法（Ｌ）が、７３ｍｍ〜７９ｍｍとなっている。
【００２２】
しかし、体格のよい外国人の使用を考慮すると、大型サイズは、標準サイズ寸法に２０％プラスした寸法のものが最適であるといえる。
【００２３】
そして、水掻き片（２）の断面形状は、図５（Ａ）（Ｂ）に示すように、底辺（Ｘ）と高さ（Ｙ）を有する直角三角形であり、パドル本体（１）の上端辺方向に進むに従って下降する傾斜状に設けた水泳練習用パドルである。
【００２４】
さらに、水掻き片（２）の全体の形状は、図４（Ａ）（Ｂ）（Ｃ）に示したように、円弧状の水掻き片（２ａ）、カギ状の水掻き片（２ｂ）、あるいは「へ」字状の水掻き片（２ｃ）から選ばれた形状の水泳練習用パドルである。
【００２５】
水掻き片（２）の各断面形状における横辺（Ａ）と縦辺（Ｂ）との比率は、２：３、３：４、４：５、５：６である水泳練習用パドルである。
【００２６】
また、左右対称形状のパドル本体（１）の通穴（３ａ）（３ａ′）の位置と、左右同一形状のパドル本体（１）の通穴（３ａ）（３ａ′）の位置とは、多少、異なり、例えば、水平方向に移動させた位置に設けてもよいものである。
【００２７】
そして、左右対称形状のパドル本体（１）の水掻き片（２ｄ）は、逆Ｖ字状に形成しており、左右対象形状である。
【００２８】
尚、紐（４）は、具体的にはチューブ状のゴム紐であり、通穴（３ａ，３ａ′）の径より太く、中指（ｃ）を、通穴（３ａ）（３ａ′）間に挿入し、これら両紐通穴に紐（４）を挿入し、中指（ｃ）を残して、紐をそれぞれ引っ張ることにより、中指をパドル本体（１）に固定して泳ぐものである。
【産業上の利用可能性】
【００２９】
この考案によると、水泳練習用パドルの技術を確立し、これに基づいて大量に製造・使用・販売することにより産業上の利用可能性があるものである。
【符号の説明】
【００３０】
１  パドル本体
２，２ａ，２ｂ，２ｃ，２ｄ  水掻き片
３ａ，３ａ′通穴
４  紐
ｃ  中指
Ｔ  厚み寸法
Ｗ  全横幅寸法
Ｌ  全縦幅寸法
【図１】
0003188716.tif 000003
【図２】
0003188716.tif 000004
【図３】
0003188716.tif 000005
【図４】
0003188716.tif 000006
【図５】
0003188716.tif 000007
【図６】
0003188716.tif 000008
【図７】
0003188716.tif 000009
【手続補正書】
【提出日】平成25年11月27日(2013.11.27)
【手続補正１】
【補正対象書類名】明細書
【補正対象項目名】００２３
【補正方法】変更
【補正の内容】
【００２３】
そして、水掻き片（２）の断面形状は、図３（Ａ）（Ｂ）に示すように、横辺（Ｘ）と縦辺（Ｙ）を有する直角三角形であり、パドル本体（１）の上端辺方向に進むに従って下降する傾斜状に設けた水泳練習用パドルである。
【手続補正２】
【補正対象書類名】明細書
【補正対象項目名】００２５
【補正方法】変更
【補正の内容】
【００２５】
水掻き片（２）の各断面形状における横辺（Ｘ）と縦辺（Ｙ）との比率は、２：３、３：４、４：５、５：６である水泳練習用パドルである。
【手続補正３】
【補正対象書類名】実用新案登録請求の範囲
【補正対象項目名】請求項４
【補正方法】変更
【補正の内容】
【請求項４】
水掻き片（２）の各断面形状における横辺（Ｘ）と縦辺（Ｙ）との比率が、３：２、４：３、５：４、あるいは６：５であることを特徴とする請求項１または２または３記載の水泳練習用パドル。